(57)【要約】【課題】ユーザ通信端末のアクセス制限の解除を、容易かつ迅速に行うこと。【解決手段】ユーザ通信端末と管理者通信端末とアクセス制限サーバとからなり、ユーザ通信端末と管理者通信端末とが近距離無線通信によりデータ通信を行う。ユーザ通信端末は、管理者通信端末にアクセス制限の一時解除を要求する管理端末送信部と、管理者通信端末からアクセス制限を一時解除するためのデータを受信する管理端末受信部と、アクセス制限の一時解除が許可されたコンテンツサーバへのアクセスを要求するデータをアクセス制限サーバに送信するサーバ送信部と、アクセスを要求したコンテンツサーバから取得された情報コンテンツを受信するサーバ受信部とを備える。管理者が取得された情報コンテンツを確認した結果アクセス制限を解除する指示入力がされた場合、アクセス制限サーバに、アクセス制限を解除することを要求するデータを送信する。【選択図】図３
2014164419.tif 000002
【特許請求の範囲】
【請求項１】
互いにデータ通信を行うユーザ通信端末と、管理者通信端末と、アクセス制限サーバとからなり、前記ユーザ通信端末と前記管理者通信端末とが近距離無線通信によりデータ通信を行う情報通信システムであって、
前記ユーザ通信端末は、入力部と、
前記管理者通信端末に、アクセスが制限されているコンテンツサーバへのアクセス制限の一時解除を要求する一時解除要求データを送信する管理端末送信部と、
前記管理者通信端末から、前記一時解除を要求したコンテンツサーバへのアクセス制限を一時解除するための一時解除許可データを受信する管理端末受信部と、
前記管理者通信端末によって前記アクセス制限の一時解除が許可されたコンテンツサーバへのアクセスを要求するアクセス要求データを、前記アクセス制限サーバに送信するサーバ送信部と、
前記アクセスを要求したコンテンツサーバから取得された情報コンテンツを、前記アクセス制限サーバから受信するサーバ受信部とを備え、
前記取得された情報コンテンツを確認した結果、前記入力部によって前記コンテンツサーバへのアクセス制限を解除する指示入力がされた場合に、前記サーバ送信部が、前記アクセス制限サーバに、前記コンテンツサーバへのアクセス制限を解除することを要求する制限解除要求データを送信し、
前記取得された情報コンテンツの確認は、前記管理者通信端末を所有する管理者によって前記ユーザ通信端末を利用して行われることを特徴とする情報通信システム。
【請求項２】
前記管理者通信端末は、
前記一時解除要求データを受信する解除要求受信部と、
前記一時解除要求データが受信された場合に、前記管理者通信端末の使用者が、管理者通信端末を所有する管理者であるか否かを確認する認証処理を行う認証部と、
前記認証部によって前記使用者が前記管理者であることが認証された場合に、前記一時解除許可データを、前記ユーザ通信端末に送信する解除許可送信部とを備えることを特徴とする請求項１に記載の情報通信システム。
【請求項３】
前記アクセス制限サーバは、
前記ユーザ通信端末によるコンテンツサーバへのアクセス制限情報をユーザ通信端末ごとに登録したアクセス制限リストを記憶した記憶部と、
前記ユーザ通信端末から前記アクセス要求データを受信した場合に、そのアクセス要求されたコンテンツサーバが、前記アクセス制限リストにすでに登録されているか否かを確認するアクセス要求確認部と、
前記アクセス要求されたコンテンツサーバが、前記アクセス制限リストに登録されているコンテンツサーバである場合、前記ユーザ通信端末に、前記アクセス要求を拒否する拒否通知データを送信するアクセス拒否送信部とを備えることを特徴とする請求項１または２に記載の情報通信システム。
【請求項４】
互いにデータ通信を行うユーザ通信端末と、管理者通信端末と、アクセス制限サーバとからなる情報通信システムにおいて、所望の情報コンテンツが記憶されているコンテンツサーバへのアクセスが制限されているユーザ通信端末であって、
入力部と、
前記管理者通信端末に、前記コンテンツサーバへのアクセス制限の一時解除を要求する一時解除要求データを送信する管理端末送信部と、
前記管理者通信端末から、前記一時解除を要求したコンテンツサーバへのアクセス制限を解除するための一時解除許可データを受信する管理端末受信部と、
前記管理者通信端末によって前記アクセス制限の一時解除が許可されたコンテンツサーバへのアクセスを要求するアクセス要求データを、前記アクセス制限サーバに送信するサーバ送信部と、
前記アクセスを要求したコンテンツサーバから取得された情報コンテンツを、前記アクセス制限サーバから受信するサーバ受信部とを備え、
前記取得された情報コンテンツを確認した結果、前記入力部によって前記コンテンツサーバへのアクセス制限を解除する指示入力がされた場合に、前記サーバ送信部が、前記アクセス制限サーバに、前記コンテンツサーバへのアクセス制限を解除することを要求する制限解除要求データを送信することを特徴とするユーザ通信端末。
【請求項５】
ユーザ通信端末と、管理者通信端末と、アクセス制限サーバとからなる情報通信システムのアクセス制限解除方法であって、
前記ユーザ通信端末が、近距離無線通信によって、前記管理者通信端末に、アクセスが制限されているコンテンツサーバへのアクセス制限の一時解除を要求する一時解除要求データを送信するステップと、
前記管理者通信端末が、近距離無線通信によって、前記ユーザ通信端末に、前記一時解除要求されたコンテンツサーバへのアクセス制限を一時解除するための一時解除許可データを送信するステップと、
前記ユーザ通信端末が、前記アクセス制限サーバに、前記アクセス制限の一時解除が許可されたコンテンツサーバへのアクセスを要求するアクセス要求データを送信するステップと、
前記アクセス制限サーバが、前記アクセス要求されたコンテンツサーバに接続して、そのコンテンツサーバに記憶されている情報コンテンツを取得した後、その取得した情報コンテンツを、前記ユーザ通信端末に送信するステップと、
前記ユーザ通信端末が、前記取得された情報コンテンツを受信して、その情報コンテンツを表示するステップと、
前記管理者通信端末を所有する管理者によって、前記受信された情報コンテンツを記憶しているコンテンツサーバへのアクセス制限を解除する指示入力がされた場合に、
前記ユーザ通信端末が、前記アクセス制限サーバに、前記コンテンツサーバへのアクセス制限を解除することを要求する制限解除要求データを送信するステップと、
前記アクセス制限サーバが、前記制限解除要求データによって解除が要求され、かつアクセス制限が設定されていた前記ユーザ通信端末による前記コンテンツサーバへのアクセス制限を解除するステップとを含むことを特徴とするアクセス制限解除方法。
【発明の詳細な説明】
【技術分野】
【０００１】
この発明は、情報通信システムに関し、特に、ユーザの通信端末において、取得しようとする情報へのアクセスの可否を判断することのできる情報通信システムに関する。
【背景技術】
【０００２】
今日、インターネット等のネットワークを介して、ユーザが希望する情報を、容易かつ迅速に取得することができる。
しかし、取得できる情報には、子供達にとって有害な情報もあるので、有害情報の取得制限や解除が、設定できるようなシステムが存在する。
たとえば、ユーザの通信端末からサーバへ、所望の情報の受信制限解除要求が送信された場合、サーバから保護者の管理端末へ、上記ユーザの通信端末から解除要求がされた情報へのアクセスを許可するか否かを問い合わせるメッセージを送信し、そのメッセージを受信した管理端末の保護者は、解除要求がされた情報の特徴等の内容を確認して受信を許可するか否かを判定して、管理端末からサーバへ、その情報の受信制限を解除するかまたは受信制限を指示するかを示す解除可否信号を送信し、サーバは、その解除可否信号の内容に基づいて、通信端末が要求した情報の受信の可否の設定をする受信制限システムが提案されている（特許文献１）。
【０００３】
また、被保護者が、第三者へ電子メールを送信しようとした場合、その電子メールが一旦サーバに保管され、サーバから保護者のチェック携帯端末に、その電子メールの送信の可否を問い合わせるメールを送信した後、保護者がサーバにアクセスして、電子メールの内容や送信先メールアドレスなどを含む閲覧用メール情報を閲覧して、保護者がその電子メールの配信可否を判断し、チェック携帯端末からサーバに配信可否信号を返送し、サーバが、その配信可否信号の内容に基づいて、保管した電子メールを配信するかあるいはしないことを決定する通信管理システムが提案されている（特許文献２）。
【先行技術文献】
【特許文献】
【０００４】
【特許文献１】特開２００９−２６０４８３号公報
【特許文献２】特開２０１１−１０３６２２号公報
【発明の概要】
【発明が解決しようとする課題】
【０００５】
しかし、上記した情報の受信制限や、メールの送信制限は、いずれも、ユーザの通信端末とは異なるサーバを利用し、サーバと保護者の所有する通信端末との間で制限可否の判断をするための通信を行い、保護者が判断した制限可否の判断結果をサーバで管理していた。
このため、情報の受信等を許可してもらいたいユーザが、実際に許可を得るためには、保護者の端末とサーバとの間で多くの通信ステップを経る必要があり、相当の時間がかかる場合があった。また、保護者は、アクセス制御の設定に関する十分な知識を有する必要がある。
【０００６】
また、保護者がユーザのすぐ隣にいる場合でも、保護者が、保護者自身の通信端末を用いて、許可できる内容か否かを確認する必要があり、その確認操作にかかる保護者の負担が大きく、時間もかかっていた。
さらに、保護者が、サーバから送信される問合せメッセージ等に気づかない場合や、保護者の通信端末がサーバと通信できない状態の場合には、ユーザは受信の許可等を受けることはできないか、あるいは、許可を受けるのに長時間を要する場合もあった。
【０００７】
そこで、この発明は、以上のような事情を考慮してなされたものであり、ユーザが希望する情報へのアクセス制限の解除（あるいはアクセスの許可）を、容易かつ迅速に行うことのできる情報通信システムを提供することを課題とする。
【課題を解決するための手段】
【０００８】
この発明は、互いにデータ通信を行うユーザ通信端末と、管理者通信端末と、アクセス制限サーバとからなり、前記ユーザ通信端末と前記管理者通信端末とが近距離無線通信によりデータ通信を行う情報通信システムであって、前記ユーザ通信端末は、入力部と、前記管理者通信端末に、アクセスが制限されているコンテンツサーバへのアクセス制限の一時解除を要求する一時解除要求データを送信する管理端末送信部と、前記管理者通信端末から、前記一時解除を要求したコンテンツサーバへのアクセス制限を一時解除するための一時解除許可データを受信する管理端末受信部と、前記管理者通信端末によって前記アクセス制限の一時解除が許可されたコンテンツサーバへのアクセスを要求するアクセス要求データを、前記アクセス制限サーバに送信するサーバ送信部と、前記アクセスを要求したコンテンツサーバから取得された情報コンテンツを、前記アクセス制限サーバから受信するサーバ受信部とを備え、前記取得された情報コンテンツを確認した結果、前記入力部によって前記コンテンツサーバへのアクセス制限を解除する指示入力がされた場合に、前記サーバ送信部が、前記アクセス制限サーバに、前記コンテンツサーバへのアクセス制限を解除することを要求する制限解除要求データを送信し、前記取得された情報コンテンツの確認は、前記管理者通信端末を所有する管理者によって前記ユーザ通信端末を利用して行われることを特徴とする情報通信システムを提供するものである。
【０００９】
これによれば、管理者が、ユーザ通信端末を利用して、コンテンツサーバから取得された情報コンテンツの確認を行い、その確認の結果、アクセス制限を解除する指示入力がされた場合に、アクセス制限サーバに、コンテンツサーバへのアクセス制限を解除することを要求するので、ユーザ通信端末のアクセス制限の解除を、容易かつ迅速に行うことができる。
【００１０】
また、前記管理者通信端末は、前記一時解除要求データを受信する解除要求受信部と、前記一時解除要求データが受信された場合に、前記管理者通信端末の使用者が、管理者通信端末を所有する管理者であるか否かを確認する認証処理を行う認証部と、前記認証部によって前記使用者が前記管理者であることが認証された場合に、前記一時解除許可データを、前記ユーザ通信端末に送信する解除許可送信部とを備えることを特徴とする。
これによれば、アクセス制限の一時解除要求に対して、管理者通信端末では、管理者の認証処理が行われるだけなので、管理者が、自己の所有する管理者通信端末における入力操作の負担を軽減できる。
【００１１】
また、前記アクセス制限サーバは、前記ユーザ通信端末によるコンテンツサーバへのアクセス制限情報をユーザ通信端末ごとに登録したアクセス制限リストを記憶した記憶部と、前記ユーザ通信端末から前記アクセス要求データを受信した場合に、そのアクセス要求されたコンテンツサーバが、前記アクセス制限リストにすでに登録されているか否かを確認するアクセス要求確認部と、前記アクセス要求されたコンテンツサーバが、前記アクセス制限リストに登録されているコンテンツサーバである場合、前記ユーザ通信端末に、前記アクセス要求を拒否する拒否通知データを送信するアクセス拒否送信部とを備えることを特徴とする。
これによれば、アクセス制限リストに、アクセス要求されたコンテンツサーバが登録されていることを確認した場合に、確実に、そのアクセス要求を拒否できる。
【００１２】
また、前記アクセス制限サーバは、前記ユーザ通信端末から、現在アクセスが制限されているコンテンツサーバへのアクセス制限を解除することを要求する制限解除要求データを受信する解除要求受信部をさらに備え、前記制限解除要求データを受信した場合に、前記記憶部に記憶されているアクセス制限リストの中から、前記制限解除要求データを送信してきた前記ユーザ通信端末による前記コンテンツサーバへのアクセス制限情報を削除することを特徴とする。
これによれば、ユーザ通信端末からの制限解除要求によって、コンテンツサーバへのアクセス制限が解除されるので、管理者通信端末における解除要求操作をする必要がなく、容易かつ迅速に、アクセス制限の解除ができる。
【００１３】
さらに、この発明は、互いにデータ通信を行うユーザ通信端末と、管理者通信端末と、アクセス制限サーバとからなる情報通信システムにおいて、所望の情報コンテンツが記憶されているコンテンツサーバへのアクセスが制限されているユーザ通信端末であって、入力部と、前記管理者通信端末に、前記コンテンツサーバへのアクセス制限の一時解除を要求する一時解除要求データを送信する管理端末送信部と、前記管理者通信端末から、前記一時解除を要求したコンテンツサーバへのアクセス制限を解除するための一時解除許可データを受信する管理端末受信部と、前記管理者通信端末によって前記アクセス制限の一時解除が許可されたコンテンツサーバへのアクセスを要求するアクセス要求データを、前記アクセス制限サーバに送信するサーバ送信部と、前記アクセスを要求したコンテンツサーバから取得された情報コンテンツを、前記アクセス制限サーバから受信するサーバ受信部とを備え、前記取得された情報コンテンツを確認した結果、前記入力部によって前記コンテンツサーバへのアクセス制限を解除する指示入力がされた場合に、前記サーバ送信部が、前記アクセス制限サーバに、前記コンテンツサーバへのアクセス制限を解除することを要求する制限解除要求データを送信することを特徴とするユーザ通信端末を提供するものである。
【００１４】
また、この発明は、ユーザ通信端末と、管理者通信端末と、アクセス制限サーバとからなる情報通信システムのアクセス制限解除方法であって、前記ユーザ通信端末が、近距離無線通信によって、前記管理者通信端末に、アクセスが制限されているコンテンツサーバへのアクセス制限の一時解除を要求する一時解除要求データを送信するステップと、前記管理者通信端末が、近距離無線通信によって、前記ユーザ通信端末に、前記一時解除要求されたコンテンツサーバへのアクセス制限を一時解除するための一時解除許可データを送信するステップと、前記ユーザ通信端末が、前記アクセス制限サーバに、前記アクセス制限の一時解除が許可されたコンテンツサーバへのアクセスを要求するアクセス要求データを送信するステップと、前記アクセス制限サーバが、前記アクセス要求されたコンテンツサーバに接続して、そのコンテンツサーバに記憶されている情報コンテンツを取得した後、その取得した情報コンテンツを、前記ユーザ通信端末に送信するステップと、前記ユーザ通信端末が、前記取得された情報コンテンツを受信して、その情報コンテンツを表示するステップと、前記管理者通信端末を所有する管理者によって、前記受信された情報コンテンツを記憶しているコンテンツサーバへのアクセス制限を解除する指示入力がされた場合に、前記ユーザ通信端末が、前記アクセス制限サーバに、前記コンテンツサーバへのアクセス制限を解除することを要求する制限解除要求データを送信するステップと、前記アクセス制限サーバが、前記制限解除要求データによって解除が要求され、かつアクセス制限が設定されていた前記ユーザ通信端末による前記コンテンツサーバへのアクセス制限を解除するステップとを含むことを特徴とするアクセス制限解除方法を提供するものである。
【発明の効果】
【００１５】
この発明によれば、ユーザ通信端末において、管理者通信端末からの一時解除許可データを受信した場合に、アクセス制限サーバに、一時解除が許可されたコンテンツサーバへのアクセスを要求するアクセス要求データを送信した後、管理者が、取得された情報コンテンツの確認を、ユーザ通信端末を利用して行い、コンテンツサーバへのアクセス制限を解除することを要求する制限解除要求データを、ユーザ通信端末からアクセス制限サーバに送信するので、ユーザ通信端末のアクセス制限の解除を、容易かつ迅速に行うことができる。また、アクセス制限を解除するための管理者の操作負担を軽減でき、ユーザがアクセス制限の解除を要求してから、所望のコンテンツサーバへのアクセスが許可されるまでの時間を短縮することができる。
【図面の簡単な説明】
【００１６】
【図１】この発明の情報通信システムの概略構成の説明図である。
【図２】この発明の被管理者通信端末、管理者通信端末およびアクセス制限サーバの一実施例の構成ブロック図である。
【図３】この発明の通信端末とアクセス制限サーバとの間の一実施例の通信シーケンス図である。
【発明を実施するための形態】
【００１７】
以下、図面を使用して本発明の実施の形態を説明する。なお、以下の実施例の記載によって、この発明が限定されるものではない。
＜この発明の情報通信システムの構成＞
図１に、この発明の情報通信システムの概略構成の説明図を示す。
図１において、この発明の情報通信システムは、主として、被管理者（以下、ユーザとも呼ぶ）の通信端末（ＵＴＥ）１と、管理者（以下、保護者とも呼ぶ）の通信端末（ＫＴＥ）２と、アクセス制限サーバ（ＳＶ）３と、コンテンツサーバ（ＣＳ）４とから構成され、これらが所定のネットワークを介して接続され、互いにデータ通信を行う。
以下、被管理者の通信端末１を、被管理者通信端末、ユーザ通信端末、ユーザ端末、あるいは単に、ＵＴＥとも呼び、管理者の通信端末２を、管理者通信端末、管理者端末、あるいは単に、ＫＴＥとも呼ぶものとする。
また、アクセス制限サーバ３を、単に、サーバ、ＳＶと呼ぶものとする。
【００１８】
ユーザ通信端末ＵＴＥ１は、アクセス制限を受ける端末であり、たとえば、有害情報へのアクセス（接続、閲覧）が制限される子供などのユーザが所有する端末である。
管理者端末ＫＴＥ２は、被管理者のアクセス制限を管理する権限を持った管理者（たとえば、子供の保護者）が所有する端末である。
これらの通信端末（ＵＴＥ、ＫＴＥ）は、たとえば、パソコンの他に、携帯電話、スマートフォン、タブレット端末などの携帯端末に相当する情報通信装置である。
【００１９】
アクセス制限サーバＳＶ３は、ユーザのアクセスを制限するための情報（アクセス制限情報）を記憶しているサーバである。
アクセス制限情報は、ユーザ通信端末ＵＴＥによるコンテンツサーバへのアクセスを制限するために予め登録された情報であり、後述するように、ユーザ通信端末ごとのアクセス制限情報を登録したアクセス制限リスト７１が記憶部５２に記憶される。
ユーザのＵＴＥ１から、コンテンツサーバ４に格納されている所望の情報コンテンツ８４に対してアクセスする場合、アクセス制限サーバＳＶ３を経由するものとし、アクセス制限リスト７１の中に、そのＵＴＥ１から情報コンテンツ８４へのアクセスを制限することが設定されている場合は、ＵＴＥ１において、その情報コンテンツ８４の内容を閲覧することができないものとする。
【００２０】
アクセス制限サーバＳＶ３は、その設置場所は特に限定されないが、たとえば、通信事業者が運用するデータ管理センター等に設置してもよい。
コンテンツサーバＣＳ４は、文書、画像等の情報コンテンツを格納したコンピュータであり、その情報コンテンツの作成や管理等を行う業者が所有するサーバに相当する。
【００２１】
ユーザ端末ＵＴＥ１および管理者端末ＫＴＥ２は、所定の無線ネットワーク５を介して、アクセス制御サーバＳＶと接続され、無線通信によってデータ通信が行われる。
この無線ネットワーク５は、たとえば、携帯通信事業者のネットワークを利用することができる。
ただし、無線ネットワーク５に代えて、有線ケーブルを介した有線ネットワークを利用してもよい。
【００２２】
アクセス制限サーバＳＶとコンテンツサーバＣＳは、インターネット等のＷＡＮ６に接続され、アクセス制限サーバＳＶは、ＷＡＮ６に接続されている多数のコンテンツサーバＣＳから、所望の情報コンテンツ８４を取得するものとする。
また、ユーザ端末ＵＴＥや管理者端末ＫＴＥも、直接インターネット等のＷＡＮ６に接続する機能を有してもよいが、ここでは情報コンテンツの受信制限を行うシステムを説明するので、特に、ユーザ端末ＵＴＥは、無線ネットワーク５を介して、アクセス制限サーバを経由して、コンテンツサーバＣＳの情報コンテンツにアクセスできるものとする。
【００２３】
また、ユーザ端末ＵＴＥ１と、管理者端末ＫＴＥ２とは、近距離無線通信（ＮＦＣ、Near field communication）によって、相互にデータ通信を行う機能を有するものとする。
近距離無線通信（以下、近接通信、またはＮＦＣとも呼ぶ）は、１０ｃｍ以内程度の無線通信が可能な通信規格であり、たとえば、すでに利用されているFelica（登録商標）、MIFARE（登録商標）のような通信手段が利用される。
後述するように、この近距離無線通信ＮＦＣを利用して、ＵＴＥ１とＫＴＥ２との間で、アクセス制限の一時的な解除の要求とその解除の許可に関するデータ通信が行われる。
【００２４】
また、この発明では、アクセス制限の許可をするために、管理者が所有する管理者端末ＫＴＥ２とＵＴＥ１との間でデータ通信が行われ、ＫＴＥ２とサーバＳＶ３との間ではアクセス制限を解除するためのデータ通信は行われない。
さらに、この発明では、ＵＴＥ１のアクセス制限の解除要求をＫＴＥ２に行う場合は、ユーザの所有するＵＴＥ１と、管理者の所有するＫＴＥ２とが、近距離無線通信ＮＦＣが成立する程度の距離内に存在することを必要とする。
【００２５】
また、図１に示すように、ＫＴＥ２と近接通信を行うＵＴＥ１は、１台に限るものではなく、複数台であってもよい。
この場合、ＫＴＥ２において、アクセス制限の一時解除を行うことのできる複数のＵＴＥ１に関する情報を予め設定記憶しておくことが好ましい。
図２に、この発明の被管理者通信端末ＵＴＥ１，管理者通信端末ＫＴＥ２，およびアクセス制限サーバＳＶ３の一実施例の構成ブロック図を示す。
【００２６】
＜被管理者通信端末ＵＴＥ＞
被管理者通信端末ＵＴＥ１は、たとえば無線通信機能を有する携帯端末であり、主として、制御部１１，表示部１２，入力部１３，記憶部１４，無線通信部１５，近接通信部１６を備える。
制御部１１は、ＵＴＥ１の有する各種機能を実行する部分であり、ＣＰＵ，ＲＯＭ，ＲＡＭ，Ｉ／Ｏコントローラ，タイマー等からなるマイクロコンピュータにより実現される。また、ＣＰＵが、ＲＯＭ等に記憶されたプログラムに基づいて、各ハードウェアを有機的に動作させることにより、この発明の機能を実行させる。
表示部１２は、ＵＴＥ１の有する機能を実行するときに、必要な情報を表示する部分であり、ＬＣＤ，有機ＥＬディスプレイ等が用いられる。
【００２７】
入力部１３は、利用者が、文字等の情報、機能の選択、データの送信要求などの指示入力を行う部分であり、キーボード，マウス，タッチパネルなどが用いられる。
記憶部１４は、各種機能を実行するときに利用されるデータ、取得した情報コンテンツ、ユーザ設定情報、プログラムなどを記憶する部分であり、ＲＯＭ，ＲＡＭ，フラッシュメモリなどの半導体記憶素子，ＨＤＤ，ＳＳＤなどの記録装置、その他の記憶媒体が用いられる。
【００２８】
無線通信部１５は、アクセス制限サーバＳＶ３に接続して、無線通信を行う部分であり、主として、サーバ送信部２１と、サーバ受信部２２とを備える。
サーバ送信部２１は、サーバＳＶにデータを送信する部分であり、たとえば、アクセス要求データ８１，制限解除要求データ８２を送信する。
アクセス要求データ８１は、所望の情報コンテンツを有するコンテンツサーバＣＳへのアクセス（接続，閲覧など）を要求するデータである。
このアクセス要求８１を意味するデータには、たとえば、ＵＴＥの識別情報（ＵＴＥ０１など）、コンテンツサーバの識別情報（ＣＳ０１など）、情報コンテンツの識別情報，一時解除フラグＫＪ、などが含まれる。
【００２９】
このアクセス要求データ８１には、後述するように、２種類の要求が存在するものとする。
第１のアクセス要求データは、ユーザが情報コンテンツを閲覧等するために、コンテンツサーバへのアクセス要求を行うためのデータであり、もう１つの第２のアクセス要求データは、管理者によってアクセス制限の一時解除が許可された場合に、アクセスが一時的に許可されたコンテンツサーバへのアクセス要求を行うためのデータである。
管理者が一時的に許可していない状態（制限モードと呼ぶ）において、第１のアクセス要求をした場合は、要求をした情報コンテンツのアクセス制限状況によっては、そのアクセスが拒否される場合もある。
【００３０】
一方、管理者がアクセスを一時的に許可した状態（解除モードと呼ぶ）において第２のアクセス要求をした場合は、そのアクセス要求は拒否されることなくサーバＳＶに受理され、要求した情報コンテンツへのアクセスが、一時的に許可される。
このような２つのアクセス要求を区別するために、第２のアクセス要求データには、一時解除を要求する一時解除フラグ（解除ＫＪ）を含めるものとする。
あるいは、アクセス要求データの中に、一時解除フラグＫＪの領域を確保しておき、第１アクセス要求データを送信する場合は、制限を意味する値（たとえば、ゼロ）に設定し、第２アクセス要求データを送信する場合は、一時解除を意味する値（たとえば、１）に設定してもよい。
【００３１】
制限解除要求データ８２は、アクセス制限サーバＳＶ３に対して、コンテンツサーバへのアクセス制限を解除することを要求するデータである。
この制限解除要求データ８２は、後述するように、管理者がユーザの所有するＵＴＥ１を利用して、コンテンツサーバから取得された情報コンテンツを確認し、そのコンテンツサーバへのアクセスを許可するか否かの判断をした結果、アクセス制限の解除を意味する指示入力をした場合に、サーバＳＶに送信される。
したがって、この制限解除要求データ８２を送信するための指示入力は、管理者自身が行う必要がある。また、管理者のみが指示入力でき、ユーザ端末ＵＴＥの所有者であるユーザはこの指示入力ができないようにすることが好ましく、たとえば、この指示入力がされた場合は管理者のみが知っているパスワードの入力を求めたり、生体認証識別をしたりすることにより管理者が入力したことを確認する手順を実行することが好ましい。
【００３２】
サーバ受信部２２は、サーバＳＶからのデータを受信する部分であり、たとえば、拒否通知データ８３，情報コンテンツ８４を受信する。
拒否通知データ８３は、ＵＴＥ１からサーバＳＶ３へ第１のアクセス要求データ８１を送信したときに、そのアクセスが拒否された場合に、サーバＳＶ３からＵＴＥ１へ送信されるデータである。
この拒否通知データ８３が受信されたときは、アクセスしようとした情報コンテンツに対するＵＴＥ１によるアクセスが拒否されている状態であることを意味する。
情報コンテンツ８４は、アクセスを要求したコンテンツサーバＣＳ４から取得された情報である。この情報コンテンツは、アクセス制限サーバ３から受信することが好ましいが、直接、コンテンツサーバＣＳ４にアクセスすることにより取得してもよい。
【００３３】
近接通信部１６は、管理者端末ＫＴＥ２との間で、近距離無線通信（ＮＦＣ）を行う部分であり、主として、管理端末送信部２３と、管理端末受信部２４とを備える。
管理端末送信部２３は、管理者端末ＫＴＥ２にデータを送信する部分であり、たとえば、一時解除要求データ８５を送信する。
一時解除要求データ８５は、ＵＴＥ１において管理者が情報コンテンツの内容を確認するために、ＫＴＥ２に対して、アクセスが制限されているコンテンツサーバへのアクセス制限の一時的な解除を要求するためのデータである。
この要求データ８５には、たとえば、ユーザ端末の識別番号（ＵＴＥ０１など）が含まれる。
【００３４】
管理端末受信部２４は、管理者端末ＫＴＥ２からのデータを受信する部分であり、たとえば、一時解除許可データ８６を受信する。
一時解除許可データ８６は、ＵＴＥ１において、一時解除を要求したコンテンツサーバへのアクセス制限を一時的に解除するためのデータである。
この一時解除許可データ８６には、たとえば、ユーザ端末の識別番号（ＵＴＥ０１など）と、解除許可するための情報（解除ＫＪ）とが含まれる。
この許可データ８６を受信した場合、解除許可情報（解除ＫＪ）を含むアクセス要求データがサーバＳＶに送信され、ＵＴＥ１からコンテンツサーバへのアクセスが一時的に許可される。
【００３５】
＜管理者通信端末ＫＴＥ＞
管理者通信端末ＫＴＥ２は、たとえば、無線通信機能を有する携帯端末であり、主として、制御部３１，表示部３２，入力部３３，記憶部３４，近接通信部３５，無線通信部３６，認証部３７を備える。
制御部３１，表示部３２，入力部３３，記憶部３４は、上記したＵＴＥ１の各モジュールと同様な構成および機能を有する。
また、無線通信部３６も、ＵＴＥ１の無線通信部１５と同様に、サーバＳＶ３と通信を行うためのサーバ送信部４４とサーバ受信部４５を備える。
近接通信部３５は、ＵＴＥ１との間で、近距離無線通信（ＮＦＣ）を行う部分であり、たとえば、解除要求受信部４１と、解除許可送信部４２を備える。
【００３６】
解除要求受信部４１は、ＵＴＥ１から送信される一時解除要求データ８５を受信する部分である。
解除許可送信部４２は、ＵＴＥ１に対して、一時解除許可データ８６を送信する部分である。
一時解除許可データ８６の送信は、認証部３７によって、ＫＴＥ２の使用者が、管理者であることが認証された後に行われる。
これらのデータ（８５，８６）の送受信は、ＮＦＣで行われるため、ＵＴＥ１とＫＴＥ２とが所定の規格で定められた距離内に存在するときに成功する。
すなわち、ＵＴＥ１を所有するユーザと、ＫＴＥ２を所有する管理者とが、近くにいる場合に、ＵＴＥ１のアクセス制限の解除要求が可能となる。
したがって、管理者がユーザの保護者（親）である場合、ユーザ（子供）の近くにいるときに、アクセス制限の解除を許可できるので、保護者にとっては、安心である。
【００３７】
認証部３７は、管理者の認証を行う部分である。
すなわち、一時解除要求データ８５が受信された場合に、ＫＴＥ２の使用者が、ＫＴＥ２を所有する管理者であるか否かを確認する部分である。
管理者の認証は、たとえば、管理者の識別番号（ＩＤ）とパスワード（暗証番号）とを、管理者自身が入力することにより行えばよい。ただし、指紋認証や音声認証など、その他の認証処理を用いてもよい。
また、認証のために、記憶部３４に、管理者のＩＤおよびパスワードと、管理しているＵＴＥの識別番号とを予め記憶しておく。そして、入力されたＩＤおよびパスワードと、記憶されたＩＤおよびパスワードとをそれぞれ比較し、一致するか否かをチェックする。さらに、一時解除要求された端末（ＵＴＥ）が、記憶されているＵＴＥの識別番号に含まれるか否かをチェックする。
【００３８】
ＫＴＥ２において、上記した一時解除要求データ８５を受信した場合、認証部３７は、たとえば、認証用の画面を表示部３２に表示させ、管理者のＩＤとパスワードとを入力することを要求する。管理者がＩＤとパスワードとを入力した場合、入力されたＩＤおよびパスワードと、記憶されているＩＤおよびパスワードとが一致するか否かをチェックする。
両者が一致した場合は、さらに、一時解除要求をしてきたＵＴＥ１が管理している端末ＵＴＥであるか否かを判断し、ＫＴＥ２によって管理している端末ＵＴＥである場合は、一時解除許可データ８６を、解除要求をしてきたＵＴＥ１へ送信する。
【００３９】
＜アクセス制限サーバ＞
アクセス制限サーバＳＶ３は、ＵＴＥ１のアクセス制限および許可を管理するための情報を記憶したものであり、主として、制御部５１，記憶部５２，端末通信部５３，コンテンツ取得部５４，アクセス要求確認部５５を備える。
制御部５１は、通信端末（１，２）およびコンテンツサーバ４と情報通信を行う端末通信部５３等の各種機能を実行する部分であり、主として、ＣＰＵを含むマイクロコンピュータから構成される。
記憶部５２は、主として、通信端末のアクセス制限リスト７１を記憶する部分であり、半導体記憶素子や記録装置等が利用される。
アクセス制限リスト７１は、上記したように、ユーザ通信端末ＵＴＥによるコンテンツサーバへのアクセス制限情報を、ユーザ通信端末ＵＴＥごとに登録したものである。
【００４０】
アクセス制限リスト７１には、管理している端末ＵＴＥごとに、接続が禁止されるサイト（コンテンツサーバ）の情報が記憶され、たとえば、ＵＴＥを識別する情報（たとえば、ＵＴＥ０１）と、コンテンツサーバ４を識別する情報（たとえば、ＣＳ０１）とが対応付けられて記憶される。
アクセス制限リスト７１は、被管理者を管理する管理者が、自己が所有する管理者端末ＫＴＥによって、予め登録しておくことが好ましい。ただし、被管理者からアクセス許可を要求する相談が管理者にあった場合に、管理者が許可することができないと判断したときに、そのコンテンツサーバを、アクセス制限リストに登録してもよい。
【００４１】
あるいは、ユーザ端末ＵＴＥ１が、この発明のシステムの利用を開始するときは、すべてのコンテンツサーバへの接続を禁止する状態として初期登録しておき、管理端末ＫＴＥ２から、そのＵＴＥ１のアクセスを許可する要求があったときに、その都度、そのＵＴＥ１の接続を許可するコンテンツサーバに関する情報を記憶するようにしてもよい。すなわち、アクセス制限リストとは別に、アクセス許可リストを記憶してもよい。
【００４２】
端末通信部５３は、ユーザ端末ＵＴＥ１および管理端末ＫＴＥ２とデータ送受信を行う部分であり、たとえば、ユーザ端末ＵＴＥとの間のデータ通信では、アクセス要求受信部６１，解除要求受信部６２，アクセス拒否送信部６３，コンテンツ送信部６４を備える。
アクセス要求受信部６１は、ＵＴＥ１において、ユーザが所望のコンテンツサーバ４へアクセスするときに、ＵＴＥ１からアクセス制限サーバＳＶ３へ送信されるアクセス要求データ８１を受信する部分である。
解除要求受信部６２は、現在アクセスが制限されているコンテンツサーバ４へのアクセス制限を解除することを要求する制限解除要求データ８２を受信する部分である。
この制限解除要求データ８２を受信した場合、アクセス制限リスト７１の中から、解除要求をしてきたＵＴＥによるコンテンツサーバ４へのアクセス制限情報が削除される。
【００４３】
アクセス拒否送信部６３は、ＵＴＥ１からアクセス要求データ８１を受信したときに、アクセス要求されたコンテンツサーバ４へのアクセスが制限されていた場合、すなわち、アクセス要求されたコンテンツサーバ４が、アクセス制限リスト７１に登録されているコンテンツサーバである場合、アクセス要求データ８１を送信してきたＵＴＥ１に対して、そのアクセス要求を拒否するデータ（拒否通知データ８３）を送信する部分である。
コンテンツ送信部６４は、コンテンツサーバ４から取得した情報コンテンツを、アクセス制限のされていないＵＴＥ１、あるいはアクセス制限が一時解除されたＵＴＥ１に送信する部分である。
コンテンツ取得部５４は、コンテンツサーバ４から、アクセス要求のあった情報コンテンツ８４を取得する部分である。
【００４４】
アクセス要求確認部５５は、ＵＴＥ１からアクセス要求データ８１を受信した場合に、そのアクセス要求された所望のコンテンツサーバ４が、アクセス制限リスト７１にすでに登録されているか否か、すなわち、現在、そのＵＴＥ１によるアクセスが制限されているか否かを確認する部分である。
たとえば、受信したアクセス要求データ８１に含まれるＵＴＥ１の識別情報（ＵＴＥ０１）とコンテンツサーバ（ＣＳ０１）とが、アクセス制限リスト７１の中に、対応付けて記憶されているか否かをチェックする。
アクセス制限リスト７１の中に、ＵＴＥ０１とＣＳ０１とが対応付けて記憶されている場合は、そのアクセス要求は拒否され、そのアクセス要求を送信してきたＵＴＥ１に対して、アクセス要求を拒否する拒否通知データ８３を送信する。
アクセス制限リスト７１の中にコンテンツサーバＣＳ０１が記憶されていない場合は、そのアクセス要求は許可され、アクセス要求されたコンテンツサーバに接続して、要求されたコンテンツサーバＣＳ０１に記憶されている情報コンテンツを取得して、ＵＴＥ１へ送信する。
【００４５】
＜通信端末とサーバ間における通信シーケンス＞
図３に、この発明のアクセス制限および解除に関する通信シーケンスの一実施例のフローチャートを示す。
上記したように、ユーザ端末ＵＴＥ１とサーバＳＶ３との間は、所定の無線通信方式を利用した無線通信によりデータの送受信が行われる。したがって、ユーザ端末ＵＴＥ１は、その無線通信が可能な領域に位置していることが必要である。
ただし、ユーザ端末ＵＴＥ１が有線ネットワークを利用した通信ができる場合は、有線ケーブルを利用してユーザ端末ＵＴＥ１とその有線ネットワークとを接続してもよい。
【００４６】
また、ユーザ端末ＵＴＥ１と、管理端末ＫＴＥ２との間は、近距離無線通信（ＮＦＣ）によりデータ通信が行われるものとする。
したがって、ユーザ端末ＵＴＥ１のユーザと、管理端末ＫＴＥ２の管理者とが、たとえば会話できる程度の近くの位置に存在し、ＵＴＥ１とＫＴＥ２とが、ＮＦＣによってデータ通信できる状態にあるものとする。
以下の説明では、ユーザ端末の識別番号をＵＴＥ０１とし、アクセスしたい情報コンテンツを所有するコンテンツサーバ４の識別番号をＣＳ０１とする。
【００４７】
図３において、ＵＴＥ０１のユーザが所望の情報コンテンツを閲覧するために、入力部１３を用いて、閲覧を開始するための入力操作をしたとする。
このとき、ＵＴＥ０１のステップＳＢ１において、アクセス要求データ８１を、サーバＳＶ３へ送信する。
このアクセス要求データ８１には、ＵＴＥ０１と、情報コンテンツを所有するコンテンツサーバＣＳ０１の情報とが含まれる。
サーバＳＶは、ステップＳＡ１において、アクセス要求データ８１を受信する。
さらに、ステップＳＡ２において、アクセス要求データ８１の内容を確認する。
【００４８】
ここで、アクセス要求データの内容（ＵＴＥ０１，ＣＳ０１）が、アクセス制限リスト７１の中にすでに記憶されているか否かをチェックする。記憶されていない場合は、図示していないが、そのアクセス要求データをそのまま受理し、アクセス要求のあったコンテンツサーバＣＳ０１へアクセスし、要求された情報コンテンツ８４を取得して、ＵＴＥ０１へ送信する。
この場合は、ＵＴＥ０１からのアクセス要求が許可されるので、ＵＴＥ０１のユーザは所望の情報コンテンツを閲覧することができる。
【００４９】
一方、アクセス要求データの内容（ＵＴＥ０１，ＣＳ０１）が、アクセス制限リスト７１の中にすでに記憶されていた場合は、ステップＳＡ３において、拒否通知データ８３をＵＴＥ０１へ送信し、そのアクセス要求は許可されないことを通知する。
ステップＳＢ２において、ＵＴＥ０１は、その拒否通知データ８３を受信する。
この拒否通知データ８３を受信した場合、ＵＴＥ０１の表示部１２に、ＣＳ０１へのアクセスが拒否されていることを示すメッセージを表示して、アクセスできないことをユーザに知らせてもよい。
【００５０】
ステップＳＢ３において、ＵＴＥ０１のユーザは、管理者のいるところへ行き、ＣＳ０１へのアクセスを解除してほしい旨を伝え、ＵＴＥ０１の入力部１３を用いて、その管理者のＫＴＥ２に対して、ＵＴＥ０１のアクセス制限を一時的に解除することを要求する一時解除要求データ８５を送信するための入力操作を行う。
【００５１】
これにより、ＵＴＥ０１からＫＴＥ２へ、ＵＴＥ０１を含む一時解除要求データ８５が、ＮＦＣにより送信される。
ＫＴＥ２のステップＳＣ１において、この一時解除要求データ８５が受信される。
ステップＳＣ２において、一時解除要求データ８５が受信されると、表示部３２に認証用画面を表示し、管理者が一時解除を許可するために、管理者自身の認証処理を行う。
ここでは、たとえば、管理者が、入力部３３を用いて自己のＩＤとパスワード（暗証番号）とを入力する。
ただし、認証処理は、パスワード等の入力操作をするのではなく、指紋や声などによる認証を行ってもよい。
【００５２】
認証部３７は、入力された情報（ＩＤ，パスワード）と、記憶部３４に予め記憶されていた管理者の情報（ＩＤ，パスワード）とを比較し、一致するか否かをチェックする。一致しない場合は、再度認証処理を実行させる。
一方、一致した場合は、ステップＳＣ３において、管理者が、所定の入力操作を行って、一時解除許可８６を示すデータを、ＮＦＣを利用して、ＵＴＥ１へ送信する。
あるいは、一致した場合は、入力操作を行わせることなく、自動的に一時解除許可データ８６を送信してもよい。
【００５３】
一時解除許可データ８６には、たとえば、ユーザ端末ＵＴＥ０１の識別情報と、一時解除の許可を意味する情報（解除ＫＪ）とが含まれる。
ＵＴＥ１のステップＳＢ４において、一時解除許可データ８６を受信する。
ステップＳＢ５において、ＵＴＥ０１のアクセス制限を一時的に解除してもらうために、解除モードを開始する設定を行う。
ここで、一時的解除を目的としたアクセス要求データ８１を送信するために、ＫＴＥ２から送信されてきた一時解除許可の情報（解除ＫＪ）をアクセス要求データ８１の中に含める。すなわち、アクセス要求データ８１に、ＵＴＥ０１と、ＣＳ０１と、解除ＫＪとを含める。
【００５４】
ステップＳＢ６において、解除ＫＪを追加したアクセス要求データ８１を、ＵＴＥ０１からサーバＳＶへ送信する。ここで、アクセス要求データ８１の送信は、自動的に行ってもよいが、ＵＴＥ１の表示部１３に送信する旨の表示をして、ユーザと一緒にいる管理者に送信可か否かの確認を求め、送信可を意味する入力があった後に、アクセス要求データ８１を送信してもよい。
【００５５】
サーバＳＶのステップＳＡ４において、解除ＫＪを含むアクセス要求データ８１を受信する。
ステップＳＡ５において、受信したアクセス要求データ８１には、解除ＫＪが含まれるので、ＵＴＥ０１によるコンテンツサーバＣＳ０１へのアクセスを一時的に許可する設定をする。
ステップＳＡ６において、コンテンツサーバＣＳ０１へ接続し、ＵＴＥ０１から要求のあった情報コンテンツ８４を取得する。
ステップＳＡ７において、取得した情報コンテンツ８４を、ＵＴＥ０１へ送信する。
ＵＴＥ０１のステップＳＢ７において、情報コンテンツ８４を受信し、表示部１２に表示する。
【００５６】
ステップＳＢ８において、ユーザと一緒にいる管理者が、ＵＴＥ１の表示画面を見て、情報コンテンツ８４の内容を確認し、ユーザがその情報コンテンツを見ることを許可してもよいか否かを判断する。
管理者が情報コンテンツの閲覧を許可する場合は、管理者が、ＵＴＥ０１の入力部１３によって許可を意味する入力操作をする。すなわち、所望のコンテンツサーバへのアクセス制限を解除する指示入力をする。このとき、ステップＳＢ９へ進む。
一方、情報コンテンツの閲覧を許可しない場合は、管理者は、ＵＴＥ０１の入力部１３によって、許可しないことを意味する入力操作をする。このとき、ステップＳＢ１０へ進み、ステップＳＢ５で設定されていた解除モードを終了する設定を行い、ステップＳＢ１へ戻る。
【００５７】
ステップＳＢ９において、ＵＴＥ０１によるコンテンツサーバＣＳ０１へのアクセスを許可するために、ＵＴＥ０１からサーバＳＶへ、制限解除要求データ８２を送信する。制限解除要求データ８２には、たとえば、ＵＴＥ０１と、ＣＳ０１とが含まれる。
その後、ステップＳＢ１０において、解除モードを終了する設定を行い、ステップＳＢ１へ戻る。
【００５８】
サーバＳＶのステップＳＡ８において、制限解除要求データ８２を受信する。
ステップＳＡ９において、アクセス制限リスト７１の中に記憶されているアクセス制限を解除する設定を行う。
すなわち、ＵＴＥ０１とＣＳ０１とが対として記憶されているアクセス制限情報を、アクセス制限リスト７１から削除する。あるいは、ＵＴＥ０１とＣＳ０１とからなる情報を、アクセス許可リストに登録してもよい。
【００５９】
このように、ステップＳＡ９において、アクセス制限が解除された後に、ＵＴＥ０１において、ステップＳＢ１と同様のアクセス要求が行われた場合、サーバＳＶによって拒否されることはなく、所望の情報コンテンツを、ＵＴＥ０１において閲覧することが可能となる。
以上のように、管理者は、自己の管理者端末ＫＴＥ２では、一時解除要求を受信したことを確認し、自己の認証のための入力操作をするだけでよいので、入力操作にかかる負担を軽減できる。
【００６０】
また、管理者は、従来と同様に、アクセスの許可の判断をする必要があるが、ユーザと一緒にいて、ユーザが所有するユーザ端末ＵＴＥ０１を用いてアクセスの許可の判断をするので、ユーザも許可されるか否かをその場で知ることができ、容易かつ迅速に、アクセス制限を解除してもらうことができる。
すなわち、ユーザがアクセス制限のかかった情報コンテンツの閲覧を許可してもらうまでの時間を短縮化でき、その許可を行うプロセスが簡略化され、管理者の入力操作の負担も軽減できる。
【符号の説明】
【００６１】
１  被管理者通信端末ＵＴＥ，２  管理者通信端末ＫＴＥ，３  アクセス制限サーバＳＶ，４  コンテンツサーバＣＳ，５  無線ネットワーク，６  インターネットＷＡＮ，１１  制御部，１２  表示部，１３  入力部，１４  記憶部，１５  無線通信部，１６  近接通信部，２１  サーバ送信部，２２  サーバ受信部，２３  管理端末送信部，２４  管理端末受信部，３１  制御部，３２  表示部，３３  入力部，３４  記憶部，３５  近接通信部，３６  無線通信部，３７  認証部，５１  制御部，５２  記憶部，５３  端末通信部，５４  コンテンツ取得部，５５  アクセス要求確認部，６１  アクセス要求受信部，６２  解除要求受信部，６３  アクセス拒否送信部，６４  コンテンツ送信部，８１  アクセス要求，８２  制限解除要求，８３  拒否通知，８４  情報コンテンツ，８５  一時解除要求，８６  一時解除許可
【図１】
2014164419.tif 000003
【図２】
2014164419.tif 000004
【図３】
2014164419.tif 000005